(57)【要約】【課題】血圧測定時に寝ている被験者の姿勢を検出し、その姿勢に応じて血圧値を補正できる血圧計を提供すること。【解決手段】この発明の血圧計は、被験者９０の被測定部位としての腕９０ａに一体に装着される加速度センサ３４と、加速度センサ３４の出力に基づいて、血圧測定時の被験者９０の姿勢を検出する姿勢検出部とを備える。姿勢検出部は、被験者９０の姿勢を、床面９９上に寝ている被験者９０を身長方向に沿って見た方向視での床面９９に対する体幹９０ｂの角度θと、体幹９０ｂの角度θに応じた腕９０ａの位置とによって特定する。血圧測定部は、被験者９０の被測定部位の血圧値を測定する。血圧補正部は、姿勢検出部によって特定された姿勢に応じて、血圧測定部によって測定された被験者９０の血圧値を補正する。【選択図】図４
2018075447.tif 000002
【特許請求の範囲】
【請求項１】
被験者の被測定部位としての腕に一体に装着される加速度センサと、
上記加速度センサの出力に基づいて、血圧測定時の上記被験者の姿勢を検出する姿勢検出部とを備え、
上記姿勢検出部は、上記被験者の姿勢を、床面上に寝ている被験者を身長方向に沿って見た方向視での上記床面に対する体幹の角度と、上記体幹の角度に応じた腕の位置とによって特定し、
上記被験者の上記被測定部位の血圧値を測定する血圧測定部と、
上記姿勢検出部によって特定された姿勢に応じて、上記血圧測定部によって測定された上記被験者の血圧値を補正する血圧補正部とを備えたことを特徴とする血圧計。
【請求項２】
請求項１に記載の血圧計において、
上記姿勢検出部は、上記体幹の角度を、上記床面に対して体幹の角度を可変したのに相当する複数の体幹パターンのうちの１つとして特定するとともに、上記腕の位置を、上記複数の体幹パターンに対して、それぞれ腕の位置を可変したのに相当する複数の腕パターンのうちの１つとして特定することを特徴とする血圧計。
【請求項３】
請求項２に記載の血圧計において、
上記体幹パターンと上記腕パターンとの組み合わせに応じて、血圧値を補正するための予め定められた補正量を記憶している第１記憶部を備え、
上記血圧補正部は、上記予め定められた補正量を用いて、上記血圧測定部によって測定された血圧値を補正することを特徴とする血圧計。
【請求項４】
請求項１から３までのいずれか一つに記載の血圧計において、
上記血圧測定部によって測定された補正されていない血圧値と、上記血圧補正部によって補正された血圧値とを、互いに対応付けて記憶する第２記憶部を備えることを特徴とする血圧計。
【請求項５】
請求項１から４までのいずれか一つに記載の血圧計において、
上記血圧補正部によって補正された血圧値を、表示画面上にグラフで表示する制御を行う表示制御部を備えたことを特徴とする血圧計。
【請求項６】
請求項５に記載の血圧計において、
上記表示制御部は、上記血圧補正部によって補正された血圧値に併せて、上記血圧測定部によって測定された補正されていない血圧値を、上記表示画面上にグラフで表示する制御を行うことを特徴とする血圧計。
【請求項７】
請求項６に記載の血圧計において、
上記表示制御部は、上記表示画面上に、上記被験者の上記補正された血圧値と上記補正されていない血圧値とに併せて、上記姿勢検出部によって検出された上記被験者の姿勢をイラストレーションで表示する制御を行うことを特徴とする血圧計。
【請求項８】
請求項７に記載の血圧計において、
上記血圧測定部は、予め定められた期間内で複数の測定時刻における血圧値を測定し、
上記姿勢検出部は、上記期間内で各測定時刻毎に上記姿勢を検出し、
上記血圧補正部は、各血圧値について上記補正を行い、
上記表示制御部は、上記各測定時刻についての上記補正された血圧値と上記補正されていない血圧値と上記姿勢のイラストレーションとを併せて、上記表示画面上に時間経過に沿って並べて表示する制御を行うことを特徴とする血圧計。
【請求項９】
請求項５から８までのいずれか一つに記載の血圧計において、
上記血圧測定時に、上記被測定部位に巻き付けられた血圧測定用カフに対する外部圧迫が有ったか否かを検出する外部圧迫検出部を備え、
上記表示制御部は、上記表示画面上に、上記被験者の上記補正された血圧値と併せて、上記外部圧迫検出部による検出結果を表す圧迫情報を表示する制御を行うことを備えたことを特徴とする血圧計。
【請求項１０】
請求項５から９までのいずれか一つに記載の血圧計において、
上記加速度センサの出力に基づいて、上記血圧測定時に上記被験者の体動が有ったか否かを検出する体動検出部を備え、
上記表示制御部は、上記表示画面上に、上記被験者の上記補正された血圧値と併せて、上記体動検出部による検出結果を表す体動情報を表示する制御を行うことを特徴とする血圧計。
【発明の詳細な説明】
【技術分野】
【０００１】
この発明は血圧計に関し、より詳しくは、血圧測定部位と心臓との高度差に基づいて血圧値を補正する血圧計に関する。
【背景技術】
【０００２】
従来、この種の血圧計としては、例えば特許文献１（特開２０１４−６８８２５号公報）、特許文献２（特開２０１４−５４６４８号公報）に開示されているように、高度センサ、加速度センサ等によって血圧測定部位と心臓との高度差を求め、測定された血圧値をその高度差に基づいて補正するとともに、高度差またはその適否に関する情報を表示器に表示するものが知られている。これにより、血圧値の測定精度を高めるとともに、適切な姿勢での測定を促している。
【先行技術文献】
【特許文献】
【０００３】
【特許文献１】特開２０１４−６８８２５号公報
【特許文献２】特開２０１４−５４６４８号公報
【発明の概要】
【発明が解決しようとする課題】
【０００４】
ところで、近年、高血圧の治療のために夜間血圧を測定する重要性が注目されている。夜間血圧測定では、一般に被験者の睡眠期間中にタイマ設定によって自動的に血圧測定が行われるため、被験者は血圧測定時の自身の姿勢を意識的に正すことができない。このため、様々な姿勢での血圧値が記録され、その血圧値は姿勢によって影響されているかも知れない。
【０００５】
そこで、この発明の課題は、血圧測定時に寝ている被験者の姿勢を検出し、その姿勢に応じて血圧値を補正できる血圧計を提供することにある。
【課題を解決するための手段】
【０００６】
上記課題を解決するため、この発明の血圧計は、
被験者の被測定部位としての腕に一体に装着される加速度センサと、
上記加速度センサの出力に基づいて、血圧測定時の上記被験者の姿勢を検出する姿勢検出部とを備え、
上記姿勢検出部は、上記被験者の姿勢を、床面上に寝ている被験者を身長方向に沿って見た方向視での上記床面に対する体幹の角度と、上記体幹の角度に応じた腕の位置とによって特定し、
上記被験者の上記被測定部位の血圧値を測定する血圧測定部と、
上記姿勢検出部によって特定された姿勢に応じて、上記血圧測定部によって測定された上記被験者の血圧値を補正する血圧補正部とを備えたことを特徴とする。
【０００７】
本明細書で、「血圧測定時」とは、例えば夜間血圧測定などのために被測定部位に血圧測定用カフが装着されている期間全体を指すのではなく、例えばタイマ設定によって自動的に上記被験者の血圧値が実際に測定されるタイミングを指す。
【０００８】
「床面」とは、ベッド、布団の上面など、その上に被験者が寝ることができる面を広く指す。
【０００９】
「体幹の角度」とは、床面上に寝ているヒトを身長方向に沿って見た方向視で（例えば、頭から足へ向かって見て）、偏平な体幹が中心（概ね背骨と一致）の周りに回転する角度を意味する。
【００１０】
この発明の血圧計では、加速度センサが、被験者の被測定部位としての腕に一体に装着される。姿勢検出部は、上記加速度センサの出力に基づいて、血圧測定時の上記被験者の姿勢を検出する。具体的には、上記姿勢検出部は、上記被験者の姿勢を、床面上に寝ている被験者を身長方向に沿って見た方向視での上記床面に対する体幹の角度と、上記体幹の角度に応じた腕の位置とによって特定する。血圧測定部は、上記被験者の上記被測定部位の血圧値を測定する。血圧補正部は、上記姿勢検出部によって特定された姿勢に応じて、上記血圧測定部によって測定された上記被験者の血圧値を補正する。したがって、この血圧計によれば、血圧測定時に寝ている被験者の姿勢に応じて血圧値を補正できる。
【００１１】
一実施形態の血圧計では、上記姿勢検出部は、上記体幹の角度を、上記床面に対して体幹の角度を可変したのに相当する複数の体幹パターンのうちの１つとして特定するとともに、上記腕の位置を、上記複数の体幹パターンに対して、それぞれ腕の位置を可変したのに相当する複数の腕パターンのうちの１つとして特定することを特徴とする。
【００１２】
この一実施形態の血圧計では、上記姿勢検出部によって、上記被験者の姿勢を簡単に検出できる。
【００１３】
一実施形態の血圧計では、
上記体幹パターンと上記腕パターンとの組み合わせに応じて、血圧値を補正するための予め定められた補正量を記憶している第１記憶部を備え、
上記血圧補正部は、上記予め定められた補正量を用いて、上記血圧測定部によって測定された血圧値を補正することを特徴とする。
【００１４】
この一実施形態の血圧計では、上記血圧測定部によって測定された血圧値を適切な補正量で補正できる。
【００１５】
一実施形態の血圧計では、上記血圧測定部によって測定された補正されていない血圧値と、上記血圧補正部によって補正された血圧値とを、互いに対応付けて記憶する第２記憶部を備えることを特徴とする。
【００１６】
この一実施形態の血圧計では、第２記憶部に記憶されたデータに基づいて、上記血圧測定部によって測定された補正されていない血圧値と、上記血圧補正部によって補正された血圧値とを、互いに対応付けて、ユーザ（被験者だけでなく、例えば医師、看護師などの医療従事者を含む。以下同様。）が事後的に用いることができる。
【００１７】
一実施形態の血圧計では、上記血圧補正部によって補正された血圧値を、表示画面上にグラフで表示する制御を行う表示制御部を備えたことを特徴とする。
【００１８】
この一実施形態の血圧計によれば、ユーザは、上記表示画面上のグラフを見ることによって、上記血圧補正部によって補正された血圧値を直感的に知ることができる。
【００１９】
一実施形態の血圧計では、上記表示制御部は、上記血圧補正部によって補正された血圧値に併せて、上記血圧測定部によって測定された補正されていない血圧値を、上記表示画面上にグラフで表示する制御を行うことを特徴とする。
【００２０】
この一実施形態の血圧計によれば、ユーザは、上記表示画面上のグラフを見ることによって、補正前後の血圧値を直感的に知ることができる。
【００２１】
一実施形態の血圧計では、上記表示制御部は、上記表示画面上に、上記被験者の上記補正された血圧値と上記補正されていない血圧値とに併せて、上記姿勢検出部によって検出された上記被験者の姿勢をイラストレーションで表示する制御を行うことを特徴とする。
【００２２】
本明細書で、「イラストレーション」とは、模式的に表された図を意味する。
【００２３】
この一実施形態の血圧計によれば、ユーザは、上記表示画面上に表示された姿勢のイラストレーションと、補正前後の血圧値とを併せて見ることによって、血圧測定時の上記被験者の姿勢に応じて上記被験者の血圧値が適切に補正されているか否かを直感的に知ることができる。
【００２４】
一実施形態の血圧計では、
上記血圧測定部は、予め定められた期間内で複数の測定時刻における血圧値を測定し、
上記姿勢検出部は、上記期間内で各測定時刻毎に上記姿勢を検出し、
上記血圧補正部は、各血圧値について上記補正を行い、
上記表示制御部は、上記各測定時刻についての上記補正された血圧値と上記補正されていない血圧値と上記姿勢のイラストレーションとを併せて、上記表示画面上に時間経過に沿って並べて表示する制御を行うことを特徴とする。
【００２５】
この一実施形態の血圧計によれば、ユーザは、上記表示画面上に表示された姿勢のイラストレーションと、上記各測定時刻についての補正前後の血圧値とを併せて見ることによって、血圧測定時の上記被験者の姿勢に応じて上記被験者の血圧値が適切に補正されているか否かを直感的に知ることができる。
【００２６】
一実施形態の血圧計では、
上記血圧測定時に、上記被測定部位に巻き付けられた血圧測定用カフに対する外部圧迫が有ったか否かを検出する外部圧迫検出部を備え、
上記表示制御部は、上記表示画面上に、上記被験者の上記補正された血圧値と併せて、上記外部圧迫検出部による検出結果を表す圧迫情報を表示する制御を行うことを備えたことを特徴とする。
【００２７】
本明細書で、「外部圧迫」とは、被測定部位を取り巻く血圧測定用カフの外周面の外側からの圧迫を指す。言い換えれば、血圧測定用カフが取り巻く被測定部位（カフの内周面側）からの圧迫は含まない。典型的には、外部圧迫は、夜間血圧測定の場合に、床面上に寝ている被験者が被測定部位に装着したカフを体幹の下に敷き込んでいる場合に起こる。
【００２８】
この一実施形態の血圧計では、外部圧迫検出部は、血圧測定時に上記カフに対する外部圧迫が有ったか否かを検出する。上記表示制御部は、上記表示画面上に、上記被験者の上記補正された血圧値と併せて、上記外部圧迫検出部による検出結果を表す圧迫情報を表示する制御を行う。したがって、ユーザは、上記表示画面上に表示された圧迫情報を見ることによって、血圧測定時にカフに対する外部圧迫が有ったか否かを直感的に知ることができる。
【００２９】
一実施形態の血圧計では、
上記加速度センサの出力に基づいて、上記血圧測定時に上記被験者の体動が有ったか否かを検出する体動検出部を備え、
上記表示制御部は、上記表示画面上に、上記被験者の上記補正された血圧値と併せて、上記体動検出部による検出結果を表す体動情報を表示する制御を行うことを特徴とする。
【００３０】
この一実施形態の血圧計では、体動検出部が、上記加速度センサの出力に基づいて、上記血圧測定時に上記被験者の体動が有ったか否かを検出する。上記表示制御部は、上記表示画面上に、上記被験者の上記補正された血圧値と併せて、上記体動検出部による検出結果を表す体動情報を表示する制御を行う。したがって、ユーザは、上記表示画面上に表示された体動情報を見ることによって、血圧測定時に上記被験者の体動があった否かを直感的に知ることができる。
【００３１】
別の局面では、この発明の血圧関連情報表示装置は、
被験者の血圧に関連する情報を表示画面に表示する血圧関連情報表示装置であって、
被験者の被測定部位を取り巻いて装着される血圧測定用カフと、
上記血圧測定用カフに一体に取り付けられた加速度センサと、
上記加速度センサの出力に基づいて、血圧測定時の上記被験者の姿勢を検出する姿勢検出部と、
上記表示画面上に、上記姿勢検出部によって検出された上記被験者の姿勢をイラストレーションで表示する制御を行う表示制御部と
を備える。
【００３２】
本明細書で、「血圧に関連する情報」とは、血圧値自体、血圧測定時の被験者の姿勢、体動の有無、カフに対する外部圧迫の有無を表す情報を含む。
【００３３】
この発明の血圧関連情報表示装置では、血圧測定用カフは、加速度センサが一体に取り付けられた状態で、被験者の被測定部位を取り巻いて装着される。上記加速度センサの出力に基づいて、姿勢検出部が血圧測定時の上記被験者の姿勢を検出する。表示制御部は、表示画面上に、上記姿勢検出部によって検出された上記被験者の姿勢をイラストレーションで表示する制御を行う。これにより、上記表示画面上に、被験者の血圧に関連する情報として、血圧測定時の上記被験者の姿勢がイラストレーションで表示される。したがって、ユーザは、上記表示画面上に表示されたイラストレーションを見ることによって、血圧測定時の上記被験者の姿勢を直感的に知ることができる。
【００３４】
一実施形態の血圧関連情報表示装置では、
上記姿勢検出部は、予め定められた期間内で、各血圧測定時毎に上記被験者の姿勢を検出し、
上記表示制御部は、上記各血圧測定時毎に上記姿勢検出部によって検出された上記被験者の姿勢を、上記表示画面上に時間経過に沿って並べてイラストレーションで表示する制御を行うことを特徴とする。
【００３５】
この一実施形態の血圧関連情報表示装置では、上記姿勢検出部は、予め定められた期間内で、各血圧測定時毎に上記被験者の姿勢を検出する。上記表示制御部は、上記各血圧測定時毎に上記姿勢検出部によって検出された上記被験者の姿勢を、上記表示画面上に時間経過に沿って並べてイラストレーションで表示する制御を行う。したがって、ユーザは、上記表示画面上に表示されたイラストレーションを見ることによって、血圧測定時の上記被験者の姿勢の時間経過を直感的に知ることができる。
【００３６】
一実施形態の血圧関連情報表示装置では、上記姿勢検出部は、上記加速度センサに設定されたＸＹＺ直交座標系に対する重力加速度ベクトルの向きに応じて、血圧測定時の上記被験者の姿勢を検出することを特徴とする。
【００３７】
この一実施形態の血圧関連情報表示装置では、上記姿勢検出部は、上記加速度センサに設定されたＸＹＺ直交座標系に対する重力加速度ベクトルの向きに応じて、血圧測定時の上記被験者の姿勢を検出する。したがって、上記被験者の姿勢を簡単に検出できる。
【００３８】
一実施形態の血圧関連情報表示装置では、
上記イラストレーションを作成するための素材として、床面上に寝ているヒトを身長方向に沿って見た方向視で上記床面に対して体幹の角度を可変したのに相当する複数の体幹パターンが予め用意され、
上記表示制御部は、上記複数の体幹パターンのうち、上記姿勢検出部によって検出された上記被験者の姿勢に応じた体幹パターンを選択することを特徴とする。
【００３９】
この一実施形態の血圧関連情報表示装置では、上記イラストレーションを作成するための素材として、床面上に寝ているヒトを身長方向に沿って見た方向視で上記床面に対して体幹の角度を可変したのに相当する複数の体幹パターンが予め用意されている。上記表示制御部は、上記複数の体幹パターンのうち、上記姿勢検出部によって検出された上記被験者の姿勢に応じた体幹パターンを選択する。この選択された体幹パターンを用いることによって、上記表示制御部は、上記被験者の姿勢を表すイラストレーションを含む画像データを、簡単な処理で迅速に作成することができる。
【００４０】
一実施形態の血圧関連情報表示装置では、
上記複数の体幹パターンに対して、それぞれ腕の位置を可変したのに相当する複数の腕パターンが予め用意され、
上記表示制御部は、上記複数の体幹パターンと上記複数の腕パターンとの組み合わせのうち、上記被験者の姿勢に応じた組み合わせを選択することを特徴とする。
【００４１】
この一実施形態の血圧関連情報表示装置では、上記複数の体幹パターンに対して、それぞれ腕の位置を可変したのに相当する複数の腕パターンが予め用意されている。上記表示制御部は、上記複数の体幹パターンと上記複数の腕パターンとの組み合わせのうち、上記被験者の姿勢に応じた組み合わせを選択する。この選択された体幹パターンと腕パターンとの組み合わせを用いることによって、上記表示制御部は、上記被験者の姿勢を表すイラストレーションを含む画像データを、簡単な処理で迅速に作成することができる。
【００４２】
なお、上記複数の体幹パターンと上記複数の腕パターンとを組み合わせた様々なイラストレーションのデータは、メモリのような記憶部に記憶されているのが望ましい。
【００４３】
一実施形態の血圧関連情報表示装置では、
上記血圧測定用カフを用いて上記被験者の血圧値を測定する血圧測定部を備え、
上記表示制御部は、上記表示画面上に、上記被験者の姿勢のイラストレーションと併せて、上記血圧測定部によって測定された上記被験者の血圧値をグラフで表示する制御を行うことを特徴とする。
【００４４】
この一実施形態の血圧関連情報表示装置では、血圧測定部が上記血圧測定用カフを用いて上記被験者の血圧値を測定する。上記表示制御部は、上記表示画面上に、上記被験者の姿勢のイラストレーションと併せて、上記血圧測定部によって測定された上記被験者の血圧値をグラフで表示する制御を行う。したがって、ユーザ師は、そのグラフを見ることによって、上記被験者の血圧値の時間経過を直感的に知ることができる。また、ユーザは、上記表示画面上に表示された姿勢のイラストレーションと血圧値のグラフとを併せて見ることによって、上記被験者の血圧値に対する姿勢の影響を直感的に知ることができる。
【００４５】
一実施形態の血圧関連情報表示装置では、
上記血圧測定用カフを用いて上記被験者の血圧値を測定する血圧測定部と、
上記姿勢検出部によって検出された上記被験者の姿勢に応じて、上記血圧測定部によって測定された上記被験者の血圧値を補正する血圧補正部とを備え、
上記表示制御部は、上記表示画面上に、上記被験者の姿勢のイラストレーションと併せて、上記血圧補正部によって補正された上記被験者の血圧値をグラフで表示する制御を行うことを備えたことを特徴とする。
【００４６】
この一実施形態の血圧関連情報表示装置では、血圧測定部が上記血圧測定用カフを用いて上記被験者の血圧値を測定する。血圧補正部は、上記姿勢検出部によって検出された上記被験者の姿勢に応じて、上記血圧測定部によって測定された上記被験者の血圧値を補正する。上記表示制御部は、上記表示画面上に、上記被験者の姿勢のイラストレーションと併せて、上記血圧補正部によって補正された上記被験者の血圧値をグラフで表示する制御を行う。したがって、ユーザは、上記表示画面上に表示された姿勢のイラストレーションと補正後の血圧値のグラフとを見ることによって、血圧測定時の上記被験者の姿勢に応じて上記被験者の血圧値が適切に補正されているか否かを直感的に知ることができる。
【００４７】
また、上記表示制御部は、上記表示画面上に、上記血圧測定部によって測定された上記被験者の血圧値と上記血圧補正部によって補正された上記被験者の血圧値との両方をグラフで表示してもよい。その場合、ユーザは、上記表示画面上に表示された姿勢のイラストレーションと補正前後の血圧値のグラフとを見ることによって、血圧測定時の上記被験者の姿勢に応じて上記被験者の血圧値が適切に補正されているか否かをより直感的に知ることができる。
【００４８】
一実施形態の血圧関連情報表示装置では、
上記血圧測定時に上記カフに対する外部圧迫が有ったか否かを検出する外部圧迫検出部を備え、
上記表示制御部は、上記表示画面上に、上記被験者の姿勢のイラストレーションと併せて、上記外部圧迫検出部による検出結果を表す圧迫情報を表示する制御を行うことを備えたことを特徴とする。
【００４９】
この一実施形態の血圧関連情報表示装置では、外部圧迫検出部は、血圧測定時に上記カフに対する外部圧迫が有ったか否かを検出する。上記表示制御部は、上記表示画面上に、上記被験者の姿勢のイラストレーションと併せて、上記外部圧迫検出部による検出結果を表す圧迫情報を表示する制御を行う。したがって、ユーザは、上記表示画面上に表示されたイラストレーションと圧迫情報を見ることによって、血圧測定時にカフに対する外部圧迫が有ったか否かを直感的に知ることができる。
【００５０】
一実施形態の血圧関連情報表示装置では、
上記加速度センサの出力に基づいて、上記血圧測定部による血圧測定中に上記被験者の体動が有ったか否かを検出する体動検出部を備え、
上記表示制御部は、上記表示画面上に、上記被験者の姿勢のイラストレーションと併せて、上記体動検出部による検出結果を表す体動情報を表示する制御を行うことを特徴とする。
【００５１】
この一実施形態の血圧関連情報表示装置では、体動検出部が、上記加速度センサの出力に基づいて、上記血圧測定時に上記被験者の体動が有ったか否かを検出する。上記表示制御部は、上記表示画面上に、上記被験者の姿勢のイラストレーションと併せて、上記体動検出部による検出結果を表す体動情報を表示する制御を行う。したがって、ユーザは、上記表示画面上に表示されたイラストレーションと体動情報を見ることによって、血圧測定時に上記被験者の体動があった否かを直感的に知ることができる。
【発明の効果】
【００５２】
以上より明らかなように、この発明の血圧関連情報表示装置によれば、血圧測定時の被験者の姿勢をユーザが直感的に分かるように表示できる。
【図面の簡単な説明】
【００５３】
【図１】この発明の一実施形態の血圧関連情報表示装置を構成する、カフと本体とが一体型の血圧計の外観を示す斜視図である。
【図２】上記血圧計のブロック構成を示す図である。
【図３】上記血圧計とネットワークを介して通信可能な病院端末のブロック構成を示す図である。
【図４】図４（Ａ）は、被験者が、上記血圧計を被測定部位としての左上腕に装着して、床面上に仰臥した姿勢（仰臥位）をとった状態を示す図である。図４（Ｂ）は、被験者が、図４（Ａ）の状態から、床面に対して体幹の角度を変えた状態を示す図である。
【図５】上記血圧計の全体的な動作フローを示す図である。
【図６Ａ】上記血圧計のカフに対する外部圧迫が無い場合における、血圧測定時（加圧過程）のカフ圧信号、脈波信号、ポンプ駆動信号、カフコンプライアンスを例示する図である。
【図６Ｂ】上記血圧計のカフに対する外部圧迫が有る場合（ここでは、カフが被験者の体幹の下に敷き込まれている場合）における、血圧測定時（加圧過程）のカフ圧信号、脈波信号、ポンプ駆動信号、カフコンプライアンスを例示する図である。
【図７】上記血圧計による血圧測定時における、上記本体に内蔵された加速度センサの出力を例示する図である。
【図８Ａ】血圧測定時の被験者の姿勢（体幹の角度と腕の位置）と上記加速度センサの出力（ＸＺ座標とＸＹ座標）との対応関係を示す図である。
【図８Ｂ】血圧測定時の被験者の姿勢（体幹の角度と腕の位置）と上記加速度センサの出力（ＸＺ座標とＸＹ座標）との対応関係を示す図である。
【図８Ｃ】血圧測定時の被験者の姿勢（体幹の角度と腕の位置）と上記加速度センサの出力（ＸＺ座標とＸＹ座標）との対応関係を示す図である。
【図８Ｄ】血圧測定時の被験者の姿勢（体幹の角度と腕の位置）と上記加速度センサの出力（ＸＺ座標とＸＹ座標）との対応関係を示す図である。
【図８Ｅ】血圧測定時の被験者の姿勢（体幹の角度と腕の位置）と上記加速度センサの出力（ＸＺ座標とＸＹ座標）との対応関係を示す図である。
【図８Ｆ】血圧測定時の被験者の姿勢（体幹の角度と腕の位置）と上記加速度センサの出力（ＸＺ座標とＸＹ座標）との対応関係を示す図である。
【図８Ｇ】血圧測定時の被験者の姿勢（体幹の角度と腕の位置）と上記加速度センサの出力（ＸＺ座標とＸＹ座標）との対応関係を示す図である。
【図８Ｈ】血圧測定時の被験者の姿勢（体幹の角度と腕の位置）と上記加速度センサの出力（ＸＺ座標とＸＹ座標）との対応関係を示す図である。
【図９】図９（Ａ），図９（Ｂ）は、それぞれ上記血圧計の表示器に表示される画像を例示する図である。
【図１０】図１０（Ａ），図１０（Ｂ）は、それぞれ上記血圧計の表示器に表示される画像を例示する図である。
【図１１】上記病院端末の表示器に表示される画像を例示する図である。
【図１２】上記病院端末の表示器に表示される別の画像を例示する図である。
【図１３】上記病院端末の表示器に表示されるさらに別の画像を例示する図である。
【発明を実施するための形態】
【００５４】
以下、この発明の実施の形態を、図面を参照しながら詳細に説明する。
【００５５】
（血圧計の構成）
図１は、この発明の一実施形態の血圧関連情報表示装置を構成する血圧計（全体を符号１で示す。）の外観を示している。
【００５６】
この血圧計１は、大別して、被験者の被測定部位に巻き付けられるべき血圧測定用カフ２０と、このカフ２０に一体に取り付けられた本体１０とを有している。
【００５７】
カフ２０は、被測定部位を周方向に沿って取り巻くように細長い形状を有し、被測定部位に接すべき帯状の内布２０ａと、この内布２０ａに対向する外布２０ｂとを備えている。これらの内布２０ａと外布２０ｂとは、互いの周縁が縫い合わされて袋状に形成されている。このカフ２０内には、被測定部位を圧迫するための流体袋２２（図２参照）が内包されている。
【００５８】
内布２０ａの表面（被測定部位に接すべき内周面）には、面ファスナを構成するために、図示しない多数の微細なフックが設けられている。一方、外布２０ｂの表面（外周面）には、上記フックと係合する図示しない多数の微細なループが形成されている。
【００５９】
本体１０は、カフ２０の長手方向（周方向）に関して、一端（装着時に内周端となる端部）２０ｅと他端（装着時に外周端となる端部）２０ｆとの間の部位に、一体に取り付けられている。
【００６０】
血圧計１を被測定部位としての左上腕９０ａ（図４（Ａ）参照）に装着する際には、図１中に矢印Ａで示す向きに左上腕９０ａが配されて、左上腕９０ａの前面に、カフ２０が本体１０とともに配置される。続いて、被験者から見て、カフ２０が左巻きの渦巻き状に巻かれる。そして、外布２０ｂの本体１０よりも内周端２０ｅに近い部位に、対応する内布２０ａの表面が押し付けられて固定される。カフ２０の長手方向（周方向）に関して他端２０ｆ近傍の余った部分は、本体１０が隠れるのを防ぐように折り返される。
【００６１】
図２は、血圧計１のカフ２０と本体１０の概略的なブロック構成を示している。この血圧計１は、本体１０に搭載された、制御部としてのＣＰＵ（Central Processing Unit）１００、表示器５０、操作部５２、記憶部としてのメモリ５１、通信部５９、電源部５３、ポンプ３２、弁３３、圧力センサ３１、および加速度センサ３４を含む。さらに、本体１０は、この本体１０に搭載された、圧力センサ３１からの出力を周波数に変換する発振回路３１０、ポンプ３２を駆動するポンプ駆動回路３２０、弁３３を駆動する弁駆動回路３３０、加速度センサ３４からの出力をＡＤ（Analog to Digital）変換するＡＤ変換器３４０を含む。
【００６２】
表示器５０は、この例ではＬＣＤ（Liquid Cristal Display）からなり、ＣＰＵ１００からの制御信号に従って、血圧測定結果などの血圧に関連する情報を表示する。
【００６３】
操作部５２は、本体１０の電源をオン、オフするための電源スイッチ５２Ａと、血圧の測定開始の指示を受け付けるための測定開始スイッチ５２Ｂと、メモリに記憶されている血圧測定結果を呼び出すためのメモリスイッチ５２Ｃとを有する。これらのスイッチ５２Ａ，５２Ｂ，５２Ｃは、ユーザによる指示に応じた操作信号をＣＰＵ１００に入力する。
【００６４】
これらの表示器５０および操作部５２は、図１中に示すように、本体１０の前面（図１では上面）または側面に設けられている。
【００６５】
図２中のメモリ５１は、血圧計１を制御するためのプログラムのデータ、血圧計１を制御するために用いられるデータ、血圧計１の各種機能を設定するための設定データ、血圧値の測定結果のデータ、および、後述のカフ２０に対する外部圧迫の有無、被験者の体動の有無、被験者の姿勢を表すデータなどを記憶する。また、メモリ５１は、プログラムが実行されるときのワークメモリなどとして用いられる。
【００６６】
ＣＰＵ１００は、メモリ５１に記憶された血圧計１を制御するためのプログラムに従って、操作部５２からの操作信号に応じて、ポンプ３２や弁３３を駆動する制御を行う。また、ＣＰＵ１００は、圧力センサ３１からの信号に基づいて、血圧値を算出する制御、および、カフ２０に対する外部圧迫の有無を検出する制御を行う。さらに、ＣＰＵ１００は、加速度センサ３４の出力に基づいて、被験者の体動の有無、および、被験者の姿勢を検出する制御を行う。これらの制御については、後に詳述する。
【００６７】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介した通信は、無線、有線のいずれでも良い。この実施の形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。
【００６８】
電源部５３は、ＣＰＵ１００、圧力センサ３１、ポンプ３２、弁３３、加速度センサ３４、表示器５０、メモリ５１、通信部５９、発振回路３１０、ポンプ駆動回路３２０、弁駆動回路３３０、およびＡＤ変換器３４０の各部に電力を供給する。
【００６９】
ポンプ３２、弁３３および圧力センサ３１は、配管系としての共通のエア配管３９を介して、カフ２０に内包されている流体袋２２に接続されている。ポンプ３２は、カフ２０に内包された流体袋２２内の圧力（カフ圧）を加圧するために、エア配管３９を通して流体袋２２に空気を供給する。弁３３は、通電によって開閉が制御される電磁弁であり、流体袋２２の空気をエア配管３９を通して排出し、または封入してカフ圧を制御するために用いられる。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００７０】
圧力センサ３１は、この例ではピエゾ抵抗式圧力センサであり、エア配管３９を通してカフ２０（流体袋２２）の圧力、この例では大気圧を基準（ゼロ）とした圧力を検出して時系列のカフ圧信号Ｐｃとして出力する。発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００７１】
この例では、圧力センサ３１の出力は、オシロメトリック法によって、被験者９０の血圧値（収縮期血圧（Systolic Blood Pressure）と拡張期血圧（Diastolic Blood Pressure）とを含む。以下同様。）を算出するのに用いられる。これとともに、圧力センサ３１の出力は、カフコンプライアンス（カフ圧を単位圧力１ｍｍＨｇだけ変化させるのに必要な空気量）を算出することによって、カフ２０に対する外部圧迫の有無を判定するのに用いられる。典型的には、外部圧迫は、夜間血圧測定の場合に、被測定部位としての左上腕９０ａとともにカフ２０が、寝ている被験者の体幹に敷き込まれて、体幹と床面から圧迫される場合に起こる。
【００７２】
加速度センサ３４は、本体１０内に一体に内蔵された３軸加速度センサからなる。この加速度センサ３４は、本体１０の、したがって本体１０と一体に取り付けられたカフ２０の、互いに直交する３方向の加速度を表す加速度信号を、ＡＤ変換器３４０を介して、ＣＰＵ１００に出力する。
【００７３】
この例では、図４（Ａ）に示すように、本体１０内の加速度センサ３４の位置を原点として、ＸＹＺ直交座標系が設定されている。Ｚ軸は、本体１０の前面に対して垂直に外へ向かって設定されている。Ｙ軸は、血圧計１が既述のように被測定部位としての左上腕９０ａに装着された状態で、被験者９０の左上腕９０ａに沿って肘から肩へ向かう向きに設定されている。また、Ｘ軸は、Ｙ軸とＺ軸に対して垂直に設定されている（被験者９０の姿勢にも依るが、被験者９０から見て概ね左側方へ向かっている。）。なお、図４（Ａ）では、被験者９０は床面９９上に仰臥した姿勢（仰臥位）をとっているが、実際には、特に夜間血圧測定の場合は、被験者９０は様々な姿勢をとり得る。例えば、図４（Ｂ）に示すように、被験者は、床面９９に対して体幹の角度θを変えた姿勢をとり得る。
【００７４】
この例では、加速度センサ３４の出力は、被験者９０の体動の有無を検出するのに用いられる。これとともに、加速度センサ３４の出力は、上記ＸＹＺ直交座標系に対する重力加速度ベクトルＧの向き（例えば、図４（Ａ）と図４（Ｂ）とでは、ＸＹＺ直交座標系に対する重力加速度ベクトルＧの向きが異なる。）に応じて、被験者９０の姿勢を検出するのに用いられる。
【００７５】
（外部圧迫の検出の仕方）
図６Ａは、カフ２０に対する外部圧迫が無い場合における、血圧測定時（加圧過程）のカフ圧信号Ｐｃ、脈波信号ＳＭ、ポンプ駆動信号Ｖｏｕｔ、カフコンプライアンスＣＬを示している。一方、図６Ｂは、カフ２０に対する外部圧迫が有る場合（ここでは、カフ２０が被験者９０の体幹の下に敷き込まれている場合）における、血圧測定時（加圧過程）のカフ圧信号Ｐｃ、脈波信号ＳＭ、ポンプ駆動信号Ｖｏｕｔ、カフコンプライアンスＣＬを示している。カフ圧信号Ｐｃは、圧力センサ３１によってエア配管３９、発振回路３１０を介して検出されたカフ２０（流体袋２２）の圧力を表している。脈波信号ＳＭは、カフ圧信号Ｐｃの変動成分としてフィルタ（図示せず）を通して抽出された信号を表している（オシロメトリック法によって血圧値を算出するために用いられる）。ポンプ駆動信号Ｖｏｕｔは、カフ２０を加圧するためにＣＰＵ１００からポンプ駆動回路３２０へ出力される矩形波の信号（パルス幅変調信号）を表している。カフコンプライアンスＣＬは、ポンプ駆動信号Ｖｏｕｔのデューティを時間で積分して得られる値（予め定められた圧力区間毎に算出される）ＣＭａ，ＣＭｂ，ＣＭｃ，ＣＭｄ，…として求められる。理解の容易のために、図６Ａ，図６Ｂでは、それぞれ、カフコンプライアンスＣＬの値ＣＭａ，ＣＭｂ，ＣＭｃ，ＣＭｄ，…の列に包絡線ＥＶが付されている。
【００７６】
図６Ａから分かるように、カフ２０に対する外部圧迫が無い場合、カフ２０に空気が供給されて低圧域（０ｍｍＨｇ〜４０ｍｍＨｇ未満）から高圧域（１２０ｍｍＨｇ超）まで加圧されるのに伴って、カフコンプライアンスＣＬは徐々に減少し、飽和している。その理由は、カフ２０に対する外部圧迫が無い場合、低圧域（０ｍｍＨｇ〜４０ｍｍＨｇ未満）ではカフ２０の容積が容易に増大するので、カフ圧を上昇させるのに多くの空気量を要するが、カフ圧が或る程度上昇してカフ２０の張力が高まると、カフ２０の容積が実質的に増大しなくなるからである。一方、図６Ｂから分かるように、カフ２０に対する外部圧迫が有る場合、加圧過程でカフコンプライアンスＣＬが極大値を示している。この場合、低圧域（０ｍｍＨｇ〜４０ｍｍＨｇ未満）では、カフ２０が被験者９０の体幹を押し戻すことによって、カフ２０の容積が増大する。したがって、カフコンプライアンスＣＬは、概ね、低い値（被測定部位に対するカフの巻き付け張力の影響によってばらつき有り）から徐々に高い値へ変化する。一方、高圧域（１２０ｍｍＨｇ超）では、カフ２０の膨張によってカフ２０の上から体幹が押しのけられてしまうので、図６Ａ（外部圧迫が無い場合）におけるのと同様に、カフコンプライアンスＣＬは徐々に減少し、飽和する。この結果、中圧域（４０ｍｍＨｇ以上、１２０ｍｍＨｇ以下）では、カフ圧の上昇に伴って、カフコンプライアンスＣＬが極大値を示す。
【００７７】
したがって、カフ２０に対する外部圧迫の有無を、加圧過程の中圧域（４０ｍｍＨｇ以上、１２０ｍｍＨｇ以下）でカフコンプライアンスＣＬが極大値を示すか否かに応じて検出できる。
【００７８】
（体動の検出の仕方）
図７は、血圧測定時の加速度センサ３４の出力（加速度信号）を例示している。血圧測定時、特に夜間血圧測定時には、被験者９０は基本的に静止状態にあるので、加速度センサ３４のＸ軸方向の出力αｘ、Ｙ軸方向の出力αｙ、Ｚ軸方向の出力αｚは、概ね一定の値を示す。ただし、被験者９０が寝返りなどで一時的に動いた場合、αｘ１、αｙ１、αｚ１で示すように、出力αｘ，αｙ，αｚが変化する。
【００７９】
この例では、ＣＰＵ１００が体動検出部として働いて、血圧測定中において、単位期間（例えば１秒間または数秒間）毎に、加速度センサ３４の出力αｘ，αｙ，αｚの平均値＜αｘ＞，＜αｙ＞，＜αｚ＞を求める。さらに、単位期間中の各時刻の加速度出力αｘ，αｙ，αｚがそれぞれ平均値＜αｘ＞，＜αｙ＞，＜αｚ＞に対して変動した変動量（αｘ−＜αｘ＞）、（αｙ−＜αｙ＞）、（αｚ−＜αｚ＞）を求める。そして、それらの変動量の２乗和平方根
｛（αｘ−＜αｘ＞）２＋（αｙ−＜αｙ＞）２＋（αｚ−＜αｚ＞）２｝１／２
が予め定められた閾値（Δαとする。）を超えたとき、「体動」が有ったと判定する。一方、上記２乗和平方根が閾値Δα以下であれば、「体動」が無かったと判定する。
【００８０】
したがって、被験者９０の体動の有無を、加速度センサ３４の出力の変化に基づいて検出できる。
【００８１】
（姿勢の検出の仕方）
図８Ａ〜図８Ｈは、血圧測定時の被験者９０の姿勢（体幹の角度と腕の位置）と加速度センサ３４の正規化された出力（ＸＺ座標とＸＹ座標）との対応関係を示している。
【００８２】
具体的には、図８Ａ〜図８Ｈでは、第１段（最上段）に、体幹パターンとしての８種類の「体幹の角度」が示されている。この「体幹の角度」は、床面上に寝ているヒトを身長方向に沿って見た方向視で（この例では、頭から足へ向かって見て）、偏平な体幹９０ｂが中心（概ね背骨と一致）の周りに回転する角度（図４（Ｂ）中に符号θで示す。）を意味する。図８Ａでは、体幹９０ｂは仰臥位にあり、体幹の角度は０度になっている。図８Ｂでは、体幹９０ｂは仰臥位と右側臥位との中間にあり、体幹の角度は２０度になっている。図８Ｃでは、体幹９０ｂは右側臥位にあり、体幹の角度は９０度になっている。図８Ｄでは、体幹９０ｂは右側臥位と伏臥位との中間にあり、体幹の角度は１６０度になっている。図８Ｅでは、体幹９０ｂは伏臥位にあり、体幹の角度は１８０度になっている。図８Ｆでは、体幹９０ｂは伏臥位と左側臥位との中間にあり、体幹の角度は２００度になっている。図８Ｇでは、体幹９０ｂは左側臥位にあり、体幹の角度は２７０度になっている。図８Ｈでは、体幹９０ｂは左側臥位と仰臥位との中間にあり、体幹の角度は３４０度になっている。
【００８３】
また、図８Ａ〜図８Ｈでは、第２段に、ヒトの体幹に対して腕の位置を可変したのに相当する腕パターンとしての４種類または３種類の代表的な「腕の位置」が示されている。図８Ａにおいて、第１欄（最左欄）では体幹９０ｂの横に左上腕９０ａが沿った「体側横」の位置にあり、第２欄では体幹９０ｂから側方へ左上腕９０ａが離間した「体側離間」の位置にあり、第３欄では体幹９０ｂに対して左上腕９０ａが載った「胸の上」の位置にあり、第４欄（最右欄）では頭側へ左上腕９０ａが挙げられた「バンザイ」の位置にある。図８Ｂ、図８Ｃ、図８Ｄにおいて、それぞれ、第１欄（最左欄）では体幹９０ｂの後側に左上腕９０ａが回された「背中側」の位置にあり、第２欄では体幹９０ｂの横に左上腕９０ａが沿った「体側横」の位置にあり、第３欄では体幹９０ｂの前側に左上腕９０ａが回された「胸側」の位置にあり、第４欄（最右欄）では頭側へ左上腕９０ａが挙げられた「バンザイ」の位置にある。図８Ｅにおいて、第１欄（最左欄）では体幹９０ｂの横に左上腕９０ａが沿った「体側横」の位置にあり、第２欄では体幹９０ｂから側方へ左上腕９０ａが離間した「体側離間」の位置にあり、第３欄（最右欄）では頭側へ左上腕９０ａが挙げられた「バンザイ」の位置にある。図８Ｆにおいて、第１欄（最左欄）では体幹９０ｂの後側に左上腕９０ａが回された「背中側」の位置にあり、第２欄では体幹９０ｂの横に左上腕９０ａが沿った「体側横」の位置にあり、第３欄（最右欄）では体幹９０ｂの前側に左上腕９０ａが回された「胸側」の位置にある。図８Ｇにおいて、第１欄（最左欄）では体幹９０ｂから前方へ左上腕９０ａが離間した「胸前離間」の位置にあり、第２欄では体幹９０ｂの横に左上腕９０ａが沿った「体側横」の位置にあり、第３欄（最右欄）では頭側へ左上腕９０ａが挙げられた「バンザイ」の位置にある。また、図８Ｈにおいて、第１欄（最左欄）では体幹９０ｂから胸前へ左上腕９０ａが回された「胸前」の位置にあり、第２欄では体幹９０ｂの横に左上腕９０ａが沿った「体側横」の位置にあり、第３欄（最右欄）では頭側へ左上腕９０ａが挙げられた「バンザイ」の位置にある。
【００８４】
図８Ａ〜図８Ｈにおける、第１段（最上段）の「体幹の角度」と、それに対応する第２段の「腕の位置」との組み合わせによって、血圧測定時（特に夜間血圧測定時）の被験者９０の姿勢がそれぞれ特定される。
【００８５】
図８Ａ〜図８Ｈにおける、第３段、第４段（最下段）には、被験者９０が第１段の「体幹の角度」と第２段の「腕の位置」との組み合わせによって特定された姿勢をとった場合の、加速度センサ３４の正規化（１に正規化）された出力がそれぞれＸＺ座標面内、ＸＹ座標面内で表されている。ここでは、被験者９０は実質的に静止状態にあり、加速度センサ３４の出力（既述の平均値＜αｘ＞，＜αｙ＞，＜αｚ＞）は、本体１０に設定されたＸＹＺ直交座標系に対する重力加速度ベクトルＧの向きに応じている。
【００８６】
例えば、被験者９０が図８Ａ、第１欄（最左欄）の「体幹の角度」が０度、「腕の位置」が「体側横」の組み合わせで特定される姿勢をとった場合、加速度センサ３４の正規化された出力は、第３段のＸＺ座標面内ではＸ＝０、Ｚ＝１の点ａｘｚとして検出され、第４段のＸＹ座標面内ではＸ＝０、Ｙ＝０の点ａｘｙとして検出される。また、被験者９０が図８Ａ、第２欄の「体幹の角度」が０度、「腕の位置」が「体側離間」の組み合わせで特定される姿勢をとった場合、加速度センサ３４の正規化された出力は、第３段のＸＺ座標面内では−１＜Ｘ＜０、０＜Ｚ＜１（第２象限）の点ａｘｚとして検出され、第４段のＸＹ座標面内では−１＜Ｘ＜０、Ｙ＝０の点ａｘｙとして検出される。被験者９０が図８Ａ、第３欄の「体幹の角度」が０度、「腕の位置」が「胸の上」の組み合わせで特定される姿勢をとった場合、加速度センサ３４の正規化された出力は、第３段のＸＺ座標面内では０＜Ｘ＜１、０＜Ｚ＜１（第１象限）の点ａｘｚとして検出され、第４段のＸＹ座標面内では０＜Ｘ＜１、−１＜Ｙ＜０（第４象限）の点ａｘｙとして検出される。被験者９０が図８Ａ、第４欄（最右欄）の「体幹の角度」が０度、「腕の位置」が「バンザイ」の組み合わせで特定される姿勢をとった場合、加速度センサ３４の正規化された出力は、第３段のＸＺ座標面内では−１＜Ｘ＜０、−１＜Ｚ＜０（第３象限）の点ａｘｚとして検出され、第４段のＸＹ座標面内では−１＜Ｘ＜０、−１＜Ｙ＜０（第３象限）の点ａｘｙとして検出される。
【００８７】
また、例えば、被験者９０が図８Ｇ、第１欄（最左欄）の「体幹の角度」が２７０度、「腕の位置」が「胸前離間」の組み合わせで特定される姿勢をとった場合、加速度センサ３４の正規化された出力は、第３段のＸＺ座標面内ではＸ＝−１、Ｚ＝０の点ａｘｚとして検出され、第４段のＸＹ座標面内ではＸ＝−１、Ｙ＝０の点ａｘｙとして検出される。また、被験者９０が図８Ｇ、第２欄の「体幹の角度」が２７０度、「腕の位置」が「体側横」の組み合わせで特定される姿勢をとった場合、加速度センサ３４の正規化された出力は、第３段のＸＺ座標面内ではＸ＝−１、Ｚ＝０の点ａｘｚとして検出され、第４段のＸＹ座標面内ではＸ＝−１、Ｙ＝０の点ａｘｙとして検出される。被験者９０が図８Ｇ、第３欄（最右欄）の「体幹の角度」が２７０度、「腕の位置」が「バンザイ」の組み合わせで特定される姿勢をとった場合、加速度センサ３４の正規化された出力は、第３段のＸＺ座標面内では０＜Ｘ＜１、０＜Ｚ＜１（第１象限）の点ａｘｚとして検出され、第４段のＸＹ座標面内では０＜Ｘ＜１、Ｙ＝０の点ａｘｙとして検出される。
【００８８】
上の例から分かるように、図８Ａ〜図８Ｈにおいて、被験者９０が第１段の「体幹の角度」と第２段の「腕の位置」との組み合わせによって特定された姿勢をとった場合、その姿勢と加速度センサ３４の正規化された出力（ＸＺ座標とＸＹ座標との組み合わせ）とは、１対１に対応している。したがって、加速度センサ３４の正規化された出力（ＸＺ座標とＸＹ座標との組み合わせ）が特定されれば、被験者９０の姿勢、すなわち「体幹の角度」と「腕の位置」との組み合わせが特定される。つまり、被験者９０の姿勢が判定される。この例では、ＣＰＵ１００が姿勢検出部として働いて、加速度センサ３４の出力（既述の平均値＜αｘ＞，＜αｙ＞，＜αｚ＞が望ましい。）に基づいて、被験者９０の姿勢を判定する。これにより、被験者の姿勢を簡単に検出できる。
【００８９】
この血圧計１では、加速度センサ３４の出力に基づいて特定された被験者９０の姿勢を表すために、図８Ａの第１段に示されたイラストレーションＡ−１〜Ａ−４、図８Ｂの第１段に示されたイラストレーションＢ−１〜Ｂ−４、図８Ｃの第１段に示されたイラストレーションＣ−１〜Ｃ−４、図８Ｄの第１段に示されたイラストレーションＤ−１〜Ｄ−４、図８Ｅの第１段に示されたイラストレーションＥ−１〜Ｅ−３、図８Ｆの第１段に示されたイラストレーションＦ−１〜Ｆ−３、図８Ｇの第１段に示されたイラストレーションＧ−１〜Ｇ−３、図８Ｈの第１段に示されたイラストレーションＨ−１〜Ｈ−３がそれぞれ予め用意されている。これらのイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３は、体幹パターンと腕パターンとを素材として組み合わせたものに相当する。
【００９０】
これらのイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３では、被験者９０の体幹９０ｂが長円で表されている。その体幹９０ｂを表す長円の長軸方向に関して略中央に、短軸方向に関して少しずれて重なる態様で、被験者９０の頭９０ｈが円と鼻に相当する小さな３角形とで表されている。また、体幹９０ｂを表す長円の左側に、カフ２０が巻かれた左上腕９０ａが円で表されている。カフ２０に一体に取り付けられた本体１０は、長方形で表されている。
【００９１】
例えば、図８Ａ中のイラストレーションＡ−１では、体幹９０ｂを表す長円は、体幹の角度が０度（仰臥位）であることを表すように、水平方向に延在している。被験者９０の頭９０ｈを表す円は、体幹９０ｂを表す長円の上方にずれて重なっている（なお、この段落における上下左右は、図８Ａ中の上下左右を指す。）。左上腕９０ａを表す円は、「体側横」を表すように、体幹９０ｂを表す長円の左に隣接している。本体１０を表す長方形は、本体１０が左上腕９０ａの前面にあることを表すように、左上腕９０ａを表す円の上部に位置している。イラストレーションＡ−２では、左上腕９０ａを表す円は、「体側離間」を表すように、体幹９０ｂを表す長円から離間している。イラストレーションＡ−３では、左上腕９０ａを表す円は、「胸の上」を表すように、体幹９０ｂを表す長円の斜め左上に位置している。イラストレーションＡ−４では、左上腕９０ａを表す円は、「バンザイ」を表すように、体幹９０ｂを表す長円の斜め左上に位置しており、それとともに、本体１０を表す長方形は、左上腕９０ａを表す円の下部に位置している。イラストレーションＡ−２〜Ａ−４の他の部分は、イラストレーションＡ−１のものと同じに描かれている。
【００９２】
また、例えば、図８Ｇ中のイラストレーションＧ−１では、体幹９０ｂを表す長円は、体幹の角度が２７０度（左側臥位）であることを表すように、鉛直方向に延在している。被験者９０の頭９０ｈを表す円は、体幹９０ｂを表す長円の左方にずれて重なっている（なお、この段落における上下左右は、図８Ｇ中の上下左右を指す。）。左上腕９０ａを表す円は、「胸前離間」を表すように、体幹９０ｂを表す長円から離間している。本体１０を表す長方形は、本体１０が左上腕９０ａの前面にあることを表すように、左上腕９０ａを表す円の左部に位置している。イラストレーションＧ−２では、左上腕９０ａを表す円は、「体側横」を表すように、体幹９０ｂを表す長円の下に隣接している。イラストレーションＧ−３では、左上腕９０ａを表す円は、「バンザイ」を表すように、体幹９０ｂを表す長円の斜め左下に位置しており、それとともに、本体１０を表す長方形は、左上腕９０ａを表す円の右部に位置している。イラストレーションＧ−２〜Ｇ−３の他の部分は、イラストレーションＧ−１のものと同じに描かれている。
【００９３】
このようにして、被験者９０の姿勢を、イラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３によって、すなわち「体幹の角度」を表す体幹パターンと「腕の位置」を表す腕パターンとの組み合わせとして、模式的に表すことができる。
【００９４】
この血圧計１では、メモリ５１に、図８Ａ〜図８Ｈにおける第３段、第４段の加速度センサ３４の正規化された出力（ＸＺ座標、ＸＹ座標）と、第１段のイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３とが、１対１に対応付けて、姿勢テーブルとして記憶されている。このように、被験者９０の姿勢を表す様々なイラストレーションを予め用意しておくことによって、後述の表示処理（図５のステップＳＴ１１０）の際に、被験者９０の姿勢のイラストレーションを含む画像データを、簡単な処理で迅速に作成することができる。
【００９５】
（全体的な動作）
図５は、血圧計１の全体的な動作フローを例示している。
【００９６】
電源スイッチ５２Ａがオンされた状態で、測定開始スイッチ５２Ｂが押されるか、または、夜間血圧測定の場合は予め定められた測定タイミングになると、血圧計１は血圧測定を開始する。血圧測定開始に際して、ＣＰＵ１００は、処理用メモリ領域を初期化し、弁駆動回路３３０に制御信号を出力する。弁駆動回路３３０は、制御信号に基づいて、弁３３を開放してカフ２０の流体袋２２内の空気を排気する。続いて、圧力センサ３１の０ｍｍＨｇの調整を行う制御を行う。
【００９７】
血圧測定を開始すると、まず、ＣＰＵ１００は、弁駆動回路３３０を介して弁３３を閉鎖し、その後、圧力センサ３１（およびエア配管３９、発振回路３１０）によってカフ圧信号Ｐｃをモニタしながら、ポンプ駆動回路３２０を介してポンプ３２を駆動して、流体袋２２に空気を送る制御を行う。これにより、流体袋２２を膨張させるとともにカフ圧を徐々に加圧していく（ステップＳＴ１０１）。
【００９８】
この加圧過程で、ＣＰＵ１００は、カフ２０に対する外部圧迫の有無を検出するために、ポンプ駆動回路３２０に対するポンプ駆動信号Ｖｏｕｔを積分して、図６Ａ，図６Ｂ中に例示したようなカフコンプライアンスＣＬを表すデータを取得する（ステップＳＴ１０２）。
【００９９】
また、この加圧過程で、ＣＰＵ１００は、被験者９０の体動の有無、および、被験者９０の姿勢を検出するために、加速度センサ３４の出力を取得する（ステップＳＴ１０３）。
【０１００】
また、この例では、この加圧過程で、ＣＰＵ１００は、血圧値を算出するために、カフ圧信号Ｐｃからフィルタ（図示せず）を通して、変動成分としての脈波信号ＳＭを取得する（ステップＳＴ１０４）。
【０１０１】
次に、ＣＰＵ１００は血圧測定部として働いて、この時点で取得されている脈波信号ＳＭに基づいて、オシロメトリック法により公知のアルゴリズムを適用して血圧値（収縮期血圧ＳＢＰと拡張期血圧ＤＢＰ）および脈拍の算出を試みる（ステップＳＴ１０５）。
【０１０２】
この時点で、データ不足のために未だ血圧値を算出できない場合は（ステップＳＴ１０５でＮＯ）、カフ圧が上限圧力（安全のために、例えば３００ｍｍＨｇというように予め定められている。）に達していない限り（ステップＳＴ１０６でＮＯ）、ステップＳＴ１０１〜ＳＴ１０５の処理を繰り返す。
【０１０３】
このようにして血圧値および脈拍の算出ができたら（ステップＳＴ１０５でＹＥＳ）、ステップＳＴ１０７に進んで、カフ２０に対する外部圧迫の有無、被験者９０の体動の有無、および、被験者９０の姿勢を検出する。
【０１０４】
ここで、カフ２０に対する外部圧迫の有無は、ＣＰＵ１００が外部圧迫検出部として働いて、上記加圧過程でカフコンプライアンスＣＬが極大値を示したか否かに基づいて検出する。すなわち、上記加圧過程で図６Ａ中に例示したようにカフコンプライアンスＣＬが単調減少を示したときは、外部圧迫無しと判定する。一方、この加圧過程で図６Ｂ中に例示したようにカフコンプライアンスＣＬが極大値を示したときは、外部圧迫有りと判定する。
【０１０５】
また、被験者９０の体動の有無は、ＣＰＵ１００が体動検出部として働いて、加速度センサ３４の出力の変化に基づいて検出する。すなわち、上記加圧過程で単位期間（例えば１秒間または数秒間）毎に、図７中に例示したような加速度センサ３４の出力αｘ，αｙ，αｚの平均値＜αｘ＞，＜αｙ＞，＜αｚ＞を求める。そして、単位期間中の加速度出力αｘ，αｙ，αｚの変動量の２乗和平方根
｛（αｘ−＜αｘ＞）２＋（αｙ−＜αｙ＞）２＋（αｚ−＜αｚ＞）２｝１／２
が予め定められた閾値Δαを超えたとき、「体動」が有ったと判定する。一方、上記２乗和平方根が閾値Δα以下であれば、「体動」が無かったと判定する。
【０１０６】
また、被験者９０の姿勢は、ＣＰＵ１００が姿勢検出部として働いて、上記加圧過程での加速度センサ３４の出力（既述の平均値＜αｘ＞，＜αｙ＞，＜αｚ＞）に基づいて検出する。すなわち、ＣＰＵ１００は、メモリ５１内の姿勢テーブルに記憶された、図８Ａ〜図８Ｈにおける第３段、第４段の加速度センサ３４の正規化された出力（ＸＺ座標、ＸＹ座標）と、第１段のイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３との対応関係に基づいて、被験者９０の姿勢が図８Ａ〜図８Ｈにおける第１段（最上段）のいずれのイラストレーションの姿勢に対応するか否かを判定する。
【０１０７】
次に、図５中のステップＳＴ１０８で、ＣＰＵ１００は、測定番号、測定時刻、測定された血圧値（収縮期血圧ＳＢＰと拡張期血圧ＤＢＰ）、脈拍、カフ２０に対する「外部圧迫」の有無、被験者９０の「体動」の有無、および、被験者９０の「姿勢」を、互いに対応付けて、メモリ５１に記憶させる。
【０１０８】
ここで、メモリ５１に記憶されるデータは、例えば次のデータテーブル（表１）に示すように、血圧の測定毎に蓄積されてゆく。この例では、夜間血圧測定が３０分間毎に行われている。
（表１）データテーブル
2018075447.tif 000003
【０１０９】
ここで、「外部圧迫」欄では、「１」は外部圧迫有り、「０」は外部圧迫無しをそれぞれ表している。「体動」欄では、「１」は体動有り、「０」は体動無しをそれぞれ表している。「姿勢」欄では、被験者９０の姿勢を、図８Ａ〜図８Ｈにおける第１段（最上段）中のイラストレーションを特定する符号で表している。なお、「姿勢」欄における符号「Ｋ−１」は、被験者９０が座位にあり、被測定部位としての左上腕９０ａを自然に下方へ向けて垂らされている姿勢（例えば、後述の図１１中の最初のイラストレーションＫ−１に対応する。）を表している。この姿勢Ｋ−１は、図８Ａ〜図８Ｈの第３段、第４段では図示が省略されているが、ＸＺ座標面内ではＸ＝０、Ｚ＝０の点として検出され、ＸＹ座標面内ではＸ＝０、Ｙ＝１の点として検出される。「高度差による補正」欄については、次に述べる。
【０１１０】
次に、図５中のステップＳＴ１０９で、ＣＰＵ１００は血圧補正部として働いて、求められた被験者９０の姿勢に応じて、測定された血圧値を補正する。
【０１１１】
知られているように、被験者９０の心臓と被測定部位（この例では左上腕９０ａ）との高度差に応じて、測定された血圧値は本来の値（心臓と被測定部位とが同じ高さレベルにある場合の値）からずれる。そこで、データテーブル（表１）の「高度差による補正」の第１の記憶部をなす「補正量」欄に示すように、求められた被験者９０の姿勢に応じて、経験的に適切であると考えられる補正量を予め設定しておく。例えば、姿勢「Ａ−１」では、被験者９０の心臓と左上腕９０ａとが同じ高さレベルにあるから、補正量は０［ｍｍＨｇ］に設定されている。姿勢「Ｃ−２」では、被験者９０の心臓よりも左上腕９０ａが高いレベルにあるから、補正量は１６［ｍｍＨｇ］に設定されている。また、姿勢「Ｂ−２」では、被験者９０の心臓と左上腕９０ａとの高度差は、姿勢「Ａ−１」と姿勢「Ｂ−２」との中間のレベルにあるから、補正量は８［ｍｍＨｇ］に設定されている。
【０１１２】
そして、ＣＰＵ１００は、求められた被験者９０の姿勢に応じて、測定された血圧値に予め設定された補正量を加算する。例えば、求められた姿勢が「Ｃ−２」であれば、例えば測定された血圧値が、収縮期血圧ＳＢＰ＝１０７［ｍｍＨｇ］、拡張期血圧ＤＢＰ＝７１［ｍｍＨｇ］であるとき、それぞれ補正量として１６［ｍｍＨｇ］を加算する。この結果、補正された血圧値は、収縮期血圧ＳＢＰ′＝１２３［ｍｍＨｇ］、拡張期血圧ＤＢＰ′＝８７［ｍｍＨｇ］となる。また、求められた姿勢が「Ｂ−２」であれば、例えば測定された血圧値が、収縮期血圧ＳＢＰ＝１０３［ｍｍＨｇ］、拡張期血圧ＤＢＰ＝６５［ｍｍＨｇ］であるとき、それぞれ補正量として８［ｍｍＨｇ］を加算する。この結果、補正された血圧値は、収縮期血圧ＳＢＰ′＝１１１［ｍｍＨｇ］、拡張期血圧ＤＢＰ′＝７３［ｍｍＨｇ］となる。なお、求められた姿勢が「Ａ−１」であれば、補正量は０［ｍｍＨｇ］であるから、データテーブル（表１）の第２の記憶部をなす「収縮期血圧ＳＢＰ′」欄、「拡張期血圧ＤＢＰ′」欄には、それぞれ収縮期血圧ＳＢＰ、拡張期血圧ＤＢＰと同じ値が入ることになる。
【０１１３】
この例では、ＣＰＵ１００は、メモリ５１内のデータテーブル（表１）に、測定番号、測定時刻、測定された血圧値（収縮期血圧ＳＢＰと拡張期血圧ＤＢＰ）、脈拍、カフ２０に対する「外部圧迫」の有無、被験者９０の「体動」の有無、および、被験者９０の「姿勢」に対応付けて、その姿勢に応じた補正量、補正された血圧値（収縮期血圧ＳＢＰ′、拡張期血圧ＤＢＰ′）を追加して記憶させる。
【０１１４】
次に、図５中のステップＳＴ１１０で、ＣＰＵ１００はメモリ５１内のデータテーブル（表１）を参照して、表示制御部として働いて、表示器５０の表示画面上に、今回の測定で測定された血圧値（収縮期血圧ＳＢＰと拡張期血圧ＤＢＰ）、脈拍、カフ２０に対する「外部圧迫」の有無、被験者９０の「体動」の有無、および、被験者９０の「姿勢」を表示する。
【０１１５】
最後に、図５中のステップＳＴ１１１で、ＣＰＵ１００は、弁駆動回路３３０を介して弁３３を開放し、カフ２０の流体袋２２内の空気を排気する制御を行う。
【０１１６】
なお、図５のフローでは、カフ２０の加圧過程で、カフコンプライアンスデータの取得、加速度センサの出力の取得、脈波信号の取得、血圧値の算出を行ったが、これに限られるものではない。加速度センサの出力の取得、脈波信号の取得、血圧値の算出は、減圧過程で行ってもよい。
【０１１７】
（血圧計本体での表示例）
図９（Ａ），（Ｂ）〜図１０（Ａ），（Ｂ）に示すように、表示器５０の表示画面には、測定された収縮期血圧ＳＢＰを数値で表示するための「最高血圧」領域５０ａと、測定された拡張期血圧ＤＢＰを数値で表示するための「最低血圧」領域５０ｂと、脈拍を数値で表示するための「脈拍」領域５０ｃと、被験者９０の「体動」の有無を体動情報としてイラストレーションで表示するための「体動」領域５０ｄと、カフ２０に対する「外部圧迫」の有無を圧迫情報としてイラストレーションで表示するための「圧迫」領域５０ｅと、被験者９０の「姿勢」をイラストレーションで表示するための姿勢領域５０ｆとが設定されている。体動有りを表すイラストレーションＪ−１は、被験者９０の頭を表す円ｍ１と、被験者９０の体幹を表す角丸長方形（角が丸い長方形）ｍ２と、体の揺れを表す波形マークｍ３とからなっている。また、外部圧迫有りを表すイラストレーションＪ−２は、概ねイラストレーションＧ−２に、床面を表す波形マークｍ４が追加されたものである。これらのイラストレーションＪ−１、Ｊ−２は、予めメモリ５１に記憶されている。なお、体動無しのときは「体動」領域５０ｄが、また、外部圧迫無しのときは「圧迫」領域５０ｅが、それぞれブランク（空白）となる。姿勢領域５０ｆには、図８Ａ〜図８Ｈにおける第１段（最上段）の複数のイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３の中から、データテーブル（表１）の「姿勢」欄の内容（イラストレーションを特定する符号）に応じたイラストレーションが選択されて、表示される。これにより、被験者９０の姿勢を表すイラストレーションを含む画像データを、簡単な処理で迅速に作成することができる。
【０１１８】
図９（Ａ）の例では、「最高血圧」領域５０ａ、「最低血圧」領域５０ｂ、「脈拍」領域５０ｃに、今回の測定で測定された収縮期血圧（最高血圧）ＳＢＰが１１５ｍｍＨｇ、拡張期血圧（最低血圧）ＤＢＰが８７ｍｍＨｇ、脈拍が７０ＢＰＭであったことがそれぞれ数値で表示されている。また、「体動」領域５０ｄに、「体動」が有ったことがイラストレーションＪ−１で表示されている。「圧迫」領域５０ｅに、「外部圧迫」が有ったことがイラストレーションＪ−２で表示されている。さらに、姿勢領域５０ｆに、被験者９０の「姿勢」がイラストレーションＧ−２で表示されている。
【０１１９】
図９（Ｂ）の例では、上の例と同様に、「最高血圧」領域５０ａ、「最低血圧」領域５０ｂ、「脈拍」領域５０ｃに、今回の測定で測定された収縮期血圧（最高血圧）ＳＢＰが１１７ｍｍＨｇ、拡張期血圧（最低血圧）ＤＢＰが８１ｍｍＨｇ、脈拍が７０ＢＰＭであったことがそれぞれ数値で表示されている。また、「体動」領域５０ｄに、「体動」が無かったことがブランクで表示されている。「圧迫」領域５０ｅに、「外部圧迫」が無かったことがブランクで表示されている。さらに、姿勢領域５０ｆに、被験者９０の「姿勢」がイラストレーションＡ−１で表示されている。
【０１２０】
図１０（Ａ）の例では、上の例と同様に、「最高血圧」領域５０ａ、「最低血圧」領域５０ｂ、「脈拍」領域５０ｃに、今回の測定で測定された収縮期血圧（最高血圧）ＳＢＰが１１１ｍｍＨｇ、拡張期血圧（最低血圧）ＤＢＰが６８ｍｍＨｇ、脈拍が７０ＢＰＭであったことがそれぞれ数値で表示されている。また、「体動」領域５０ｄに、「体動」が無かったことがブランクで表示されている。「圧迫」領域５０ｅに、「外部圧迫」が有ったことがイラストレーションＪ−２で表示されている。さらに、姿勢領域５０ｆに、被験者９０の「姿勢」がイラストレーションＧ−２で表示されている。
【０１２１】
図１０（Ｂ）の例では、上の例と同様に、「最高血圧」領域５０ａ、「最低血圧」領域５０ｂ、「脈拍」領域５０ｃに、今回の測定で測定された収縮期血圧（最高血圧）ＳＢＰが１３１ｍｍＨｇ、拡張期血圧（最低血圧）ＤＢＰが８５ｍｍＨｇ、脈拍が７０ＢＰＭであったことがそれぞれ数値で表示されている。また、「体動」領域５０ｄに、「体動」が有ったことがイラストレーションＪ−１で表示されている。「圧迫」領域５０ｅに、「外部圧迫」が無かったことがブランクで表示されている。さらに、姿勢領域５０ｆに、被験者９０の「姿勢」がイラストレーションＡ−１で表示されている。
【０１２２】
したがって、ユーザは、表示器５０の表示画面の「最高血圧」領域５０ａ、「最低血圧」領域５０ｂ、「脈拍」領域５０ｃの数値を見ることによって、今回の測定で測定された血圧値（収縮期血圧ＳＢＰと拡張期血圧ＤＢＰ）、脈拍の値を知ることができる。これとともに、ユーザは、「体動」領域５０ｄ、「圧迫」領域５０ｅ、姿勢領域５０ｆのイラストレーションを見ることによって、血圧測定時の被験者９０の体動の有無、カフ２０に対する外部圧迫の有無、被験者９０の姿勢を直感的に知ることができる。
【０１２３】
なお、図５中に示した加圧過程で、血圧値が算出できないままカフ圧が上限圧力に達した場合（ステップＳＴ１０６でＹＥＳ）は、エラーがあったことを、測定時刻と対応付けて、メモリ５１に記憶させる（ステップＳＴ１１２）。この例では、メモリ５１内のデータテーブル（表１）の測定された血圧値（収縮期血圧ＳＢＰと拡張期血圧ＤＢＰ）欄に、それぞれ「Error」と記録する。このエラーがあった場合においても、可能な限り、データテーブル（表１）の「外部圧迫」欄、「体動」欄、「姿勢」欄には、それぞれ、検出結果を記録するのが望ましい。その理由は、そのエラーの原因が「外部圧迫」、「体動」、「姿勢」による可能性があるからである。そして、図５中のステップＳＴ１１０で、表示器５０の表示画面の「最高血圧」領域５０ａ、「最低血圧」領域５０ｂに、この例ではそれぞれ「Error」を文字列として表示するとともに、「体動」領域５０ｄ、「圧迫」領域５０ｅ、姿勢領域５０ｆに、それぞれ検出結果を表すイラストレーションを表示する。このようにした場合、ユーザは、「体動」領域５０ｄ、「圧迫」領域５０ｅ、姿勢領域５０ｆのイラストレーションを見ることによって、そのエラーの原因を推定することができる。
【０１２４】
（病院端末での表示例）
図３は、血圧計１とネットワーク９００を介して通信可能な病院端末２００のブロック構成を示している。この病院端末２００は、市販のパーソナルコンピュータからなり、本体２００Ｍと、この本体２００Ｍに搭載された、ＣＰＵからなる制御部２１０と、ＲＡＭ（Random Access Memory）およびＲＯＭ（Read Only Memory）を含むメモリ２２０と、キーボードおよびマウスを含む操作部２３０と、ＬＣＤからなる表示器２４０と、ネットワーク９００を介して通信を行うための通信部２９０とを含んでいる。
【０１２５】
図１１〜図１３は、病院端末２００が通信部２９０を介して血圧計１から受信した画像データに基づいて、表示器２４０の表示画面に表示される画像を例示している。
【０１２６】
例えば図１１に示すように、表示器２４０の表示画面には、血圧測定時の被験者９０の姿勢を表す「測定姿勢」領域２４０ａと、被験者９０の体動または圧迫の有無を表す「体動・圧迫」領域２４０ｂと、測定された血圧値又は補正された血圧値を表す血圧・脈拍領域２４０ｃと、この血圧・脈拍領域２４０ｃに表示される記号の凡例を表す凡例領域２４０ｄとが設定されている。
【０１２７】
「測定姿勢」領域２４０ａには、既述のデータテーブル（表１）の「姿勢」欄に記録された符号「Ｋ−１」、「Ａ−１」、「Ｃ−２」、…に対応したイラストレーションＫ−１、Ａ−１、Ｃ−２、…が、時間経過（血圧・脈拍領域２４０ｃ中の横軸に示す測定時刻）に沿って並べて表示されている。ユーザとしての医師は、この「測定姿勢」領域２４０ａに表示された姿勢のイラストレーションを見ることによって、血圧測定時の被験者９０の姿勢の時間経過を直感的に知ることができる。図１１の例では、測定時刻２３：００から６：００までの間に、被験者９０の姿勢はＫ−１、Ａ−１、Ａ−１、Ｃ−２、Ｃ−２、Ｂ−２、Ｂ−２、Ｇ−２、Ａ−１、Ａ−３、Ａ−１、Ｂ−２、Ｃ−２、Ｃ−２、Ｂ−２というように変化したことが直感的に分かる。
【０１２８】
「体動・圧迫」領域２４０ｂには、データテーブル（表１）の「体動」欄に記録された体動有りを表す体動情報が、横軸方向に関して体動が有った測定時刻に対応する位置に、マークＭ−１で表示されている。それとともに、データテーブル（表１）の「外部圧迫」欄に記録された外部圧迫有りを表す圧迫情報が、横軸方向に関して外部圧迫が有った測定時刻に対応する位置に、マークＭ−２で表示されている。マークＭ−１は、角丸長方形内に「体動」の文字を入れて構成されている。マークＭ−２は、角丸長方形内に「圧迫」の文字を入れて構成されている。ユーザとしての医師は、「体動・圧迫」領域２４０ｂに表示されたマークＭ−１，Ｍ−２を見ることによって、特定の血圧測定時に被験者９０の体動が有ったこと、カフ２０に対する外部圧迫が有ったことを直感的に知ることができる。図１１の例では、時刻１：００、３：００の血圧測定時に体動が有ったこと、時刻２：３０の血圧測定時に外部圧迫が有ったことが直感的に分かる。
【０１２９】
血圧・脈拍領域２４０ｃには、データテーブル（表１）中の測定された血圧値（収縮期血圧ＳＢＰと拡張期血圧ＤＢＰ）、および、「脈拍」欄に記録された脈拍値ＰＲが、この例ではそれぞれ折線グラフで表示されている。ユーザは、これらの折線グラフを見ることによって、被験者９０の血圧値、脈拍の時間経過を直感的に知ることができる。また、ユーザは、「測定姿勢」領域２４０ａに表示された姿勢のイラストレーションと血圧・脈拍領域２４０ｃに表示された血圧値の折線グラフとを併せて見ることによって、被験者９０の血圧値に対する姿勢、体動、および、外部圧迫の影響を直感的に知ることができる。
【０１３０】
それにより、例えば、ユーザとしての医師は、被験者９０の健康状態を診断する場合に、被験者９０の血圧値に対する姿勢、体動、および、外部圧迫の影響を考慮して診断することができる。具体的には、例えば、被験者９０の血圧値に対する姿勢の影響が大きい場合、被験者９０が特定の姿勢（例えばＡ−１）をとった時に測定された血圧値のみに基づいて診断することができる。また、被験者９０の血圧値に対する体動または外部圧迫の影響が大きい場合、体動が有った時に測定された血圧値または外部圧迫が有った時に測定された血圧値を無視して、体動が無くかつ外部圧迫が無かった時に測定された血圧値のみに基づいて診断することができる。
【０１３１】
図１２に示すように、血圧・脈拍領域２４０ｃには、データテーブル（表１）中の測定された血圧値（収縮期血圧ＳＢＰと拡張期血圧ＤＢＰ）に代えて、データテーブル（表１）中の補正された血圧値（収縮期血圧ＳＢＰ′と拡張期血圧ＤＢＰ′）を折線グラフで表示してもよい。これにより、ユーザとしての医師は、「測定姿勢」領域２４０ａに表示された姿勢のイラストレーションと血圧・脈拍領域２４０ｃに表示された補正後の血圧値の折線グラフとを併せて見ることによって、血圧測定時の被験者９０の姿勢に応じて被験者９０の血圧値が適切に補正されているか否かを直感的に知ることができる。
【０１３２】
また、図１３に示すように、血圧・脈拍領域２４０ｃには、データテーブル（表１）中の測定された血圧値（収縮期血圧ＳＢＰと拡張期血圧ＤＢＰ）に併せて、データテーブル（表１）中の補正された血圧値（収縮期血圧ＳＢＰ′と拡張期血圧ＤＢＰ′）を折線グラフで表示してもよい。これにより、ユーザとしての医師は、「測定姿勢」領域２４０ａに表示された姿勢のイラストレーションと血圧・脈拍領域２４０ｃに表示された補正前後の血圧値の折線グラフとを併せて見ることによって、血圧測定時の被験者９０の姿勢に応じて被験者９０の血圧値が適切に補正されているか否かをより直感的に知ることができる。
【０１３３】
（変形例）
上の例では、図８Ａ〜図８Ｈに示したように、被験者９０の姿勢を、８種類の「体幹の角度」と４種類または３種類の「腕の位置」との組み合わせとして検出した。さらに、それに対応して、被験者９０の姿勢を、８種類の体幹パターンと４種類または３種類の腕パターンとを組み合わせたイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３で表した。しかしながら、これに限られるものではなく、例えば「体幹の角度」を０度（仰臥位）、９０度（右側臥位）、１８０度（伏臥位）、２７０度（左側臥位）の４種類として粗く検出し、それに対応して、４種類の体幹パターンとして表してもよい。
【０１３４】
また、被験者９０の「腕の位置」は、図８Ａ〜図８Ｈ中の４種類または３種類の代表的な「腕の位置」以外の特殊な腕の位置をとり得るかも知れない。その場合、その特殊な腕の位置について、図８Ａ〜図８Ｈの第３段のＸＺ座標面内、第４段のＸＹ座標面内で検出されるべき点を規定するとともに、その特殊な腕の位置を表す腕パターンを用意するのが望ましい。例えば図１３中の測定時刻３：３０には、「測定姿勢」領域２４０ａ中に示すように、被験者９０の体幹の角度は０度（仰臥位）にある。この場合、被験者９０の体幹９０ｂに対して左上腕９０ａが前方へ離間した（略鉛直上方へ延ばされた）腕の位置をとっている。それに応じて、図８Ａの第３段のＸＺ座標面内、第４段のＸＹ座標面内で検出されるべき点を規定するとともに、その腕の位置を表す腕パターン（この例ではイラストレーションＡ−３′）を用意するのが望ましい。
【０１３５】
また、上の例では、被験者９０の姿勢を、図８Ａ〜図８Ｈの第１段（最上段）のイラストレーションＡ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３で表した。しかしながら、これに限られるものではなく、被験者９０の姿勢を、別のタイプのイラストレーション、例えば図８Ａ〜図８Ｈの第２段のイラストレーションで表してもよい。図８Ａ〜図８Ｈの第２段のイラストレーションは、被験者９０の姿勢を鉛直上方から見たところを模式化して表している。第２段のイラストレーションでは、被験者９０の頭９０ｈは楕円で表され、体幹９０ｂは半楕円で表され、左上腕９０ａが角丸長方形で表されている。このようなイラストレーションによっても、ユーザは、血圧測定時の被験者９０の姿勢の時間経過を直感的に知ることができる。
【０１３６】
また、この血圧計１では、カフ２０と本体１０とが一体に構成されたが、これに限られるものではない。それに代えて、カフ２０と本体１０とが別体として構成され、エア配管３９に相当する細長いチューブを介して接続されてもよい。その場合、加速度センサ３４は、被験者９０の姿勢を検出できるように、カフ２０に搭載（内蔵）されるのが望ましい。
【０１３７】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１３８】
１  血圧計
２０  カフ
３１  圧力センサ
３４  加速度センサ
５０、２４０  表示器
５１、２２０  メモリ
１００  ＣＰＵ
２００  病院端末
Ａ−１〜Ａ−４、Ｂ−１〜Ｂ−４、Ｃ−１〜Ｃ−４、Ｄ−１〜Ｄ−４、Ｅ−１〜Ｅ−３、Ｆ−１〜Ｆ−３、Ｇ−１〜Ｇ−３、Ｈ−１〜Ｈ−３、Ｊ−１、Ｊ−２  イラストレーション
Ｍ−１、Ｍ−２  マーク
【図１】
2018075447.tif 000004
【図２】
2018075447.tif 000005
【図３】
2018075447.tif 000006
【図４】
2018075447.tif 000007
【図５】
2018075447.tif 000008
【図６Ａ】
2018075447.tif 000009
【図６Ｂ】
2018075447.tif 000010
【図７】
2018075447.tif 000011
【図８Ａ】
2018075447.tif 000012
【図８Ｂ】
2018075447.tif 000013
【図８Ｃ】
2018075447.tif 000014
【図８Ｄ】
2018075447.tif 000015
【図８Ｅ】
2018075447.tif 000016
【図８Ｆ】
2018075447.tif 000017
【図８Ｇ】
2018075447.tif 000018
【図８Ｈ】
2018075447.tif 000019
【図９】
2018075447.tif 000020
【図１０】
2018075447.tif 000021
【図１１】
2018075447.tif 000022
【図１２】
2018075447.tif 000023
【図１３】
2018075447.tif 000024